(57)【要約】【課題】    棒状の筆記具に備えられるクリップ部は、被挟持物の厚さが変化しても十分な挟持力を得られ、且つクリップ部の塑性変形や破損が起こりにくいものが望まれる。しかし、これを実現する為に大げさな付勢部材では挟持部を開く為に必要な操作力が大きくなり過ぎ、また複雑な構造では新たなトラブルやコストアップが心配される。【解決手段】  付勢力によって軸線（１）中心にアーム部（６）が揺動する方向と、被挟持物を挟持する力の方向に角度をつける。【選択図】         図１
2017001337.tif 000002
【特許請求の範囲】
【請求項１】
棒状の筆記具の長手方向に沿うように配置される軸線を中心に揺動可能に支持され前記筆記具の一端部に配置される第１支持部と、
前記筆記具の一端部に配置される第２支持部と、
前記第１支持部及び前記第２支持部からそれぞれ前記筆記具の他端部方向に延びる第１アーム部及び第２アーム部と、
前記筆記具の一端部に配置される第１指掛部及び第２指掛部と、
を具備し、
前記第１アーム部を前記軸線中心に前記第１指掛部及び前記第２指掛部が離れる方向に揺動させるように働く付勢力を有し、
前記第１アーム部を前記軸線中心に前記第１指掛部及び前記第２指掛部が近づく方向に揺動させると前記第１アーム部及び前記第２アーム部の距離が短くなることを特徴とする、
クリップ部を具備する筆記具。
【請求項２】
棒状の筆記具の長手方向に沿うように配置される軸線を中心に揺動可能に支持され前記筆記具の一端部に配置される支持部と、
前記支持部から前記筆記具の他端部方向に延びるアーム部と、
前記筆記具の一端部に配置される第１指掛部及び第２指掛部と、
を具備し、
前記アーム部を前記軸線中心に前記第１指掛部及び前記第２指掛部が離れる方向に揺動させるように働く付勢力を有し、
前記アーム部を前記軸線中心に前記第１指掛部及び前記第２指掛部が近づく方向に揺動させると前記筆記具の外郭及び前記アーム部の隙間の距離が長くなることを特徴とする、
クリップ部を具備する筆記具。
【発明の詳細な説明】
【技術分野】
【０００１】
本発明は、クリップ部を具備する筆記具に関する。
【背景技術】
【０００２】
棒状の筆記具に備えられるクリップ部においては、特許文献１のように筆記具の径方向に移動可能で付勢部材によって筆記具の中心方向に付勢されるアイデアが知られている。
【０００３】
また、棒状の筆記具に備えられるクリップ部においては、特許文献２のように筆記具の長手方向に沿うように配置される軸線を中心に揺動させることで挟持部の隙間を調整可能なアイデアが知られている。
【０００４】
また、棒状の筆記具に備えられるクリップ部においては、特許文献３や特許文献４のように２本のアーム部を備えるアイデアが知られている。
【先行技術文献】
【特許文献】
【０００５】
【特許文献１】特開２００６−００１１５０号公報
【特許文献２】特開２００７−１９０９２４号公報
【特許文献３】特開２０１１−１２６２３８号公報
【特許文献４】特開２００９−０４５８５３号公報
【発明の概要】
【発明が解決しようとする課題】
【０００６】
棒状の筆記具に備えられるクリップ部においては、被挟持物の厚さが変化しても十分な挟持力を得られ、且つクリップ部の塑性変形や破損が起こりにくいものが望まれる。しかし、これを実現する為に大げさな付勢部材では挟持部を開く為に必要な操作力が大きくなり過ぎ、また複雑な隙間調整構造では新たなトラブルやコストアップが心配される。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るクリップ部を具備する筆記具は、例えば図１から３の組み、図４から６の組み、のいずれかの組みのように、
棒状の筆記具の長手方向に沿うように配置される軸線１を中心に揺動可能に支持され筆記具の一端部２に配置される支持部３と、
筆記具の一端部２に配置される支持部４と、
支持部３及び４からそれぞれ筆記具の他端部５方向に延びるアーム部６及び７と、
筆記具の一端部２に配置される指掛部８及び９と、
を具備し、
アーム部６を軸線１中心に指掛部８及び９が離れる方向に揺動させるように働く付勢力を有し、
アーム部６を軸線１中心に指掛部８及び９が近づく方向に揺動させるとアーム部６及び７の距離が短くなることを特徴とする、
クリップ部１０を具備する筆記具である。
【０００９】
発明２に係るクリップ部を具備する筆記具は、例えば図４から６の組み、図７から９の組み、のいずれかの組みのように、
棒状の筆記具の長手方向に沿うように配置される軸線１を中心に揺動可能に支持され筆記具の一端部２に配置される支持部３と、
支持部３から筆記具の他端部５方向に延びるアーム部６と、
筆記具の一端部２に配置される指掛部８及び９と、
を具備し、
アーム部６を軸線１中心に指掛部８及び９が離れる方向に揺動させるように働く付勢力を有し、
アーム部６を軸線１中心に指掛部８及び９が近づく方向に揺動させると筆記具の外郭１３及びアーム部６の隙間１５の距離が長くなることを特徴とする、
クリップ部１０を具備する筆記具である。
【００１０】
ここで、筆記具とは鉛筆、芯を送り出すタイプの鉛筆、フェルトペン、万年筆、ボールペン、修正ペン、スタイラスペン、芯を送り出すタイプの消しゴム、化粧用のペン、等である。
【発明の効果】
【００１１】
以上のように本発明では、付勢力によって軸線１中心にアーム部６が揺動する方向と、被挟持物を挟持する力の方向に角度をつけることで、比較的小さな付勢力であっても被挟持物を不意に放してしまうリスクが軽減され、且つ比較的小さく設計された付勢力に逆らうように指先で指掛部８及び９を摘むことで軽い操作力によってアーム部６（７）に被挟持物を迎え入れることが可能なクリップ部１０の設計が容易となる。
【００１２】
また、発明１では、本発明の効果に加えて、指掛部８及び９を指先で摘んでアーム部６及び７を近づけアーム部全体を細くして被挟持物であるノートの中間ページに差し入れ指先を放してやるとアーム部全体として太い状態となり、安定した挟持となるようなクリップ部１０の設計が容易となる。
【図面の簡単な説明】
【００１３】
【図１】第１実施形態のクリップ部１０の操作を表した正面図
【図２】第１実施形態のクリップ部１０の操作を表した平面図
【図３】第１実施形態のクリップ部１０の操作を表した左側面図
【図４】第２実施形態のクリップ部１０の操作を表した正面図
【図５】第２実施形態のクリップ部１０の操作を表した平面図
【図６】第２実施形態のクリップ部１０の操作を表した右側面図
【図７】第３実施形態のクリップ部１０の操作を表した正面図
【図８】第３実施形態のクリップ部１０の操作を表した平面図
【図９】第３実施形態のクリップ部１０の操作を表した左側面図
【発明を実施するための形態】
【００１４】
本発明の第１実施形態を図１から３に基づいて説明する。
なお、図１及び２の上図と図３の左図が平常状態、図１及び２の下図と図３の右図が平常状態から付勢力に逆らって指掛部８及び９を指先で摘みアーム部６を軸線１中心に９０度揺動させた揺動状態を表している。
【００１５】
全体として棒状の筆記具は、円筒状の外郭１３の内部にペン芯とノック機構が備えられており、一端部２のノック部１２を押すことで他端部５の先端１４の穴からペン先が現れる。
また、一端部２の支持部４は外郭１３に対して固定接続され、棒状の筆記部の径方向に延びており、支持部４の端部から棒状のアーム部７が外郭１３との隙間１６を保ちながら他端部５方向に延びている。また円筒状の外郭１３と同心の軸線１中心に９０度揺動可能で軸線１方向に直動不能に支持される支持部３は棒状の筆記部の径方向に延びており、支持部３の端部から棒状のアーム部６が外郭１３との隙間１５を保ちながら他端部５方向に延びている。また支持部３及び４の間には軸線１を中心とするねじりコイルバネが付勢部材１１として配置され、アーム部６を軸線１中心に指掛部８及び９が離れる方向に揺動させるように働く付勢力を発生させる。また指掛部８及び９はそれぞれ支持部３とアーム部６の接続部付近及び支持部４とアーム部７の接続部付近の外側に配置されている。
また、例えばねじりコイルバネの替わりに圧縮バネを付勢部材として支持部３及び４に架設しても良いだろう。
使用方法としては、例えば被挟持物のノート端部からノート中間ページに揺動状態のアーム部６及び７を挿入し指掛部８及び９を摘んでいた指先を離すことで外郭１３に沿うように当接し隙間１５及び１６に入り込んだ平面状のノート表紙にアーム部６及び７が近づくように付勢部材１１の付勢力によってアーム部６及び７が相対揺動することで、アーム部６、外郭１３、アーム部７によって広い面積で安定して挟持される。
【００１６】
本発明の第２実施形態を図４から６に基づいて説明する。
なお、図４及び５の上図と図６の右図が平常状態、図４及び５の下図と図６の左図が平常状態から付勢力に逆らって指掛部８及び９を指先で摘みアーム部６を軸線１中心に７０度揺動させた揺動状態を表している。
【００１７】
全体として棒状の筆記具は、円筒状の外郭１３の内部にペン芯とノック機構が備えられており、一端部２のノック部１２を押すことで他端部５の先端１４の穴からペン先が現れる。
また、一端部２の支持部３及び４は弾力性を有する素材によって外郭１３と一体成形された板バネ状であり棒状の筆記部の径方向に延びており、支持部３及び４の端部からそれぞれ棒状のアーム部６及び７が外郭１３との隙間１５及び１６を保ちながら他端部５方向に延びている。また支持部３が弾性変形することで外郭１３付近に配置される軸線１中心にアーム部６は７０度程揺動可能であり、また支持部４が弾性変形することで外郭１３付近に配置され軸線１に沿う軸線１７中心にアーム部７は７０度程揺動可能である。また指掛部８及び９はそれぞれ支持部３とアーム部６の接続部付近及び支持部４とアーム部７の接続部付近の外側に配置されている。
使用方法としては、例えば被挟持物のノート端部からノート中間ページに揺動状態のアーム部６及び７を挿入し指掛部８及び９を摘んでいた指先を離すことで外郭１３に沿うように当接し隙間１５及び１６に入り込んだ平面状のノート表紙にアーム部６及び７が近づくように支持部３及び４の弾力性による付勢力によってアーム部６及び７が揺動することで、アーム部６、外郭１３、アーム部７によって広い面積で安定して挟持される。
また、円筒状の外郭１３と軸線１及び１７は同心ではなく、図６左図の揺動状態よりも図６右図の平常状態の方が隙間１５及び１６が小さくなるように設計されている。
【００１８】
本発明の第３実施形態を図７から９に基づいて説明する。
なお、図７及び８の上図と図９の左図が平常状態、図７及び８の下図と図９の右図が平常状態から付勢力に逆らって指掛部８及び９を指先で摘みアーム部６を軸線１中心に６０度揺動させた揺動状態を表している。
【００１９】
全体として棒状の筆記具は、円筒状の外郭１３の内部にペン芯とノック機構が備えられており、一端部２のノック部１２を押すことで他端部５の先端１４の穴からペン先が現れる。
また、一端部２の指掛部９が配置される突起部１８は外郭１３に対して固定接続され、棒状の筆記部の径方向に突出している。また円筒状の外郭１３と同心でない軸線１中心に６０度揺動可能で軸線１方向に直動不能に支持される支持部３は棒状の筆記部の径方向に延びており、支持部３の端部から棒状のアーム部６が外郭１３との隙間１５を保ちながら他端部５方向に延びている。また支持部３及び突起部１８の間には円筒状の外郭１３の中心軸を中心とするねじりコイルバネが付勢部材１１として配置され、アーム部６を軸線１中心に指掛部８及び９が離れる方向に揺動させるように働く付勢力を発生させる。また指掛部８及び９はそれぞれ支持部３とアーム部６の接続部付近及び突起部１８の外側に配置されている。
また、例えばねじりコイルバネの替わりに圧縮バネを付勢部材として支持部３及び突起部１８に架設しても良いだろう。また、ねじりコイルバネは軸線１を中心として配置しても良いだろう。
また、例えば楕円筒形の外郭１３と同心の軸線１として、アーム部６の揺動角度に応じて隙間１５が変化するような設計としても良いだろう。
使用方法としては、例えば被挟持物のノート端部からノート中間ページに揺動状態のアーム部６を挿入し指掛部８及び９を摘んでいた指先を離すことで外郭１３に沿うように当接し隙間１５に入り込んだ平面状のノート表紙にアーム部６が近づくように付勢部材１１の付勢力によってアーム部６が揺動することで、アーム部６及び外郭１３によって安定した強い挟持力が得られる。
【００２０】
本発明のその他の実施形態を説明する。
【００２１】
前記すべての実施形態において、例えばキャップ式ペンのようにキャップにクリップ部１０を備える構造でも良いだろうし、例えば鉛筆用キャップのようにクリップ部１０を備えるキャップ単体での販売も考えられる。
【００２２】
前記すべての実施形態において、ノック式のペンをその他の筆記具に設計変更することは当業者には容易であるので、詳しい記載は省略する。
【符号の説明】
【００２３】
１,１７.                                           軸線
２.                                                    一端部
３,４.                                               支持部
５.                                                    他端部
６,７.                                               アーム部
８,９.                                               指掛部
１０.                                                クリップ部
１１.                                                付勢部材
１２.                                                ノック部
１３.                                                外郭
１４.                                                先端
１５,１６.                                       隙間
１８.                                                突起部
【図１】
2017001337.tif 000003
【図２】
2017001337.tif 000004
【図３】
2017001337.tif 000005
【図４】
2017001337.tif 000006
【図５】
2017001337.tif 000007
【図６】
2017001337.tif 000008
【図７】
2017001337.tif 000009
【図８】
2017001337.tif 000010
【図９】
2017001337.tif 000011